【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
第１端部と、第２端部と、上端と、下端とを有する第１壁と、
第１端部と、第２端部と、上端と、下端とを有する第２壁と、
上端を有し、前記第１壁の前記第１端部と前記第２壁の前記第１端部との間に接続された第１側壁と、
上端を有し、前記第１壁の前記第２端部と前記第２壁の前記第２端部との間に接続された第２側壁と、
前記第１壁と、前記第２壁と、前記第１側壁と、前記第２側壁との間に規定された空洞であって、前記空洞が、ある量のコンクリートを受けて、硬化中、前記コンクリートを保持するように適合されている、空洞と、
前記第１壁の前記上端と、前記第２壁の前記上端と、前記第１側壁の前記上端と、前記第２側壁の前記上端との中に成形された開口であって、前記開口が前記空洞と流体接続されており、前記開口が前記コンクリートを受けるように適合されている、開口と、
地面の横断に適した第１車両であって、前記第１車両が、前記第１車両から延在する第１アームと、前記第１アームの遠位部に接続された第１アームカプラと、第１モータに接続された複数の第１ホイール又は複数の第１キャタピラと、を含む、第１車両と、
前記第１壁に接続された第１カプラであって、前記第１カプラが前記第１アームカプラに接続され、前記第１アームが、前記第２壁に対して所望の位置に前記第１壁を保持する、第１カプラと、
前記第１アームと前記第１アームカプラとの間に接続された第１アクチュエータであって、前記第１アクチュエータが、前記第１アームに対して前記第１アームカプラ及び前記第１壁のピッチを調整するように適合されている、第１アクチュエータと、を備えるコンクリート成形システム。
【請求項２】
前記第１アームと前記第１アームカプラとの間に接続された第２アクチュエータをさらに備え、前記第２アクチュエータが、前記第１アームに対して前記第１アームカプラ及び前記第１壁のヨーを調整するように適合されている、請求項１に記載のコンクリート成形システム。
【請求項３】
前記第１アームカプラが、前記第１アームに対して前記第１アームカプラ及び前記第１壁のロールを調整するように適合された第３アクチュエータを含む、請求項２に記載のコンクリート成形システム。
【請求項４】
前記第１アームカプラが、フレームに接続されたハブを備え、前記ハブが、前記第３アクチュエータが前記第１壁を回転させるとき、前記第１アームカプラがそのまわりを回転する軸受を含む、請求項３に記載のコンクリート成形システム。
【請求項５】
前記第１車両に移動可能に接続された支持体をさらに備え、前記支持体が前記第１壁に取り外し可能に接続される、請求項１に記載のコンクリート成形システム。
【請求項６】
前記支持体が、前記支持体が前記第１壁に接続されていない第１位置と、前記支持体が前記第１壁に接続されている第２位置との間で調整可能である、請求項５に記載のコンクリート成形システム。
【請求項７】
前記地面の横断に適した第２車両であって、前記第２車両が、
前記第２車両から延在する第２アームと、
前記第２アームの遠位部に接続された第２アームカプラと、
第２モータに接続された複数の第２ホイール又は複数の第２キャタピラと、を含む、第２車両と、
前記第２壁に接続された第２カプラであって、前記第２カプラが前記第２車両の前記第２アームカプラに接続され、前記第２アームが、前記第１壁に対して所望の位置に前記第２壁を保持する、第２カプラと、をさらに備える、請求項１に記載のコンクリート成形システム。
【請求項８】
前記第２アームと前記第２アームカプラとの間に接続された第２アクチュエータであって、前記第２アクチュエータが、前記第２アームに対して前記第２アームカプラ及び前記第２壁のピッチを調整するように適合されている、第２アクチュエータをさらに備える、請求項７に記載のコンクリート成形システム。
【請求項９】
前記第１アームと前記第１アームカプラとの間に接続された第１ヨーアクチュエータと、前記第２アームと前記第２アームカプラとの間に接続された第２ヨーアクチュエータと、をさらに備え、前記第１ヨーアクチュエータが、前記第１アームに対して前記第１アームカプラ及び前記第１壁のヨーを調整するように適合されており、前記第２ヨーアクチュエータが、前記第２アームに対して前記第２アームカプラ及び前記第２壁のヨーを調整するように適合されている、請求項８に記載のコンクリート成形システム。
【請求項１０】
前記第１車両に移動可能に接続された第１支持体と、前記第２車両に移動可能に接続された第２支持体と、をさらに備え、前記第１支持体が前記第１壁に取り外し可能に接続され、前記第２支持体が前記第２壁に取り外し可能に接続される、請求項９に記載のコンクリート成形システム。
【請求項１１】
第１端部と第２端部と上端と下端とを有する第１壁と、第１端部と第２端部と上端と下端とを有する第２壁と、を備える壁の第１組であって、前記壁の第１組の前記第１壁が、前記壁の第１組の前記第２壁に対して、対向して離間した関係で位置付けられる、壁の第１組と、
地面の横断に適した第１車両であって、前記第１車両が、
前記第１車両から延在する第１アームと、
前記第１アームの遠位部に接続された第１アームカプラと、
第１モータに接続された複数の第１ホイール又は複数の第１キャタピラと、を含む、第１車両と、
前記壁の第１組の前記第１壁に接続された第１カプラであって、前記第１カプラが前記第１アームカプラに接続され、前記第１アームが、前記壁の第１組の前記第２壁に対して所望の位置に前記壁の第１組の前記第１壁を保持する、第１カプラと、
前記地面の横断に適した第２車両であって、前記第２車両が、
前記第２車両から延在する第２アームと、
前記第２アームの遠位部に接続された第２アームカプラと、
第２モータに接続された複数の第２ホイール又は複数の第２キャタピラと、を含む、第２車両と、
前記壁の第１組の前記第２壁に接続された第２カプラであって、前記第２カプラが前記第２車両の前記第２アームカプラに接続され、前記第２アームが、前記壁の第１組の前記第１壁に対して所望の位置に前記壁の第１組の前記第２壁を保持する、第２カプラと、
前記壁の第１組の前記第１壁と前記第２壁との間に規定された空洞であって、前記空洞が、ある量のコンクリートを受けて、硬化中、前記コンクリートを保持するように適合されている、空洞と、を備えるコンクリート成形システム。
【請求項１２】
前記壁の第１組が、前記壁の第１組の、前記第１壁の前記第１端部と前記第２壁の前記第１端部との間に接続される第１側壁を含む、請求項１１に記載のコンクリート成形システム。
【請求項１３】
前記壁の第１組が、前記壁の第１組の、前記第１壁の前記第２端部と前記第２壁の前記第２端部との間に接続される第２側壁を含む、請求項１２に記載のコンクリート成形システム。
【請求項１４】
第１端部と第２端部と上端と下端とを有する第１壁と、第１端部と第２端部と上端と下端とを有する第２壁と、を備える壁の第２組であって、前記壁の第２組の前記第１壁が、前記壁の第２組の前記第２壁に対して、対向して離間した関係で位置付けられる、壁の第２組と、
前記地面の横断に適した第３車両であって、前記第３車両が、
前記第３車両から延在する第３アームと、
前記第３アームの遠位部に接続された第３アームカプラと、
第３モータに接続された複数の第３ホイール又は複数の第３キャタピラと、を含む、第３車両と、
前記壁の第２組の前記第１壁に接続された第３カプラであって、前記第３カプラが前記第３アームカプラに接続され、前記第３アームが、前記壁の第２組の前記第２壁に対して所望の位置に前記壁の第２組の前記第１壁を保持する、第３カプラと、
前記地面の横断に適した第４車両であって、前記第４車両が、
前記第４車両から延在する第４アームと、
前記第４アームの遠位部に接続された第４アームカプラと、
第４モータに接続された複数の第４ホイール又は複数の第４キャタピラと、を含む、第４車両と、
前記壁の第２組の前記第２壁に接続された第４カプラであって、前記第４カプラが前記第４アームカプラに接続され、前記第４アームが、前記壁の第２組の前記第１壁に対して所望の位置の壁に前記壁の第２組の前記第２壁を保持する、第４カプラと、をさらに備える、請求項１１に記載のコンクリート成形システム。
【請求項１５】
前記壁の第１組の前記第１壁が、前記壁の第２組の前記第１壁に取り外し可能に接続される、請求項１４に記載のコンクリート成形システム。
【請求項１６】
前記壁の第１組の前記第２壁が、前記壁の第２組の前記第２壁に取り外し可能に接続される、請求項１５に記載のコンクリート成形システム。
【請求項１７】
前記空洞が、前記壁の第２組の前記第１壁と前記壁の第２組の前記第２壁との間で延在する、請求項１６に記載のコンクリート成形システム。
【請求項１８】
前記壁の第１組の前記第１壁が、前記壁の第１組の前記第２壁に接続されない、請求項１１に記載のコンクリート成形システム。
【請求項１９】
第１壁を第１車両によって、地面上の前の位置から、前記前の位置に対して遠位に離間している前記地面上の第１位置まで移動させるステップと、
前記第１壁の下端が前記地面上の前記第１位置に保持されるように、前記第１壁を前記第１車両によって位置付けるステップと、
第２壁を第２車両によって、地面上の前記前の位置から、前記前の位置及び前記第１位置に対して遠位に離間している前記地面上の第２位置まで移動させるステップと、
前記第２壁の下端が前記地面上の前記第２位置に保持されるように、前記第２壁を前記第２車両によって位置付けるステップであって、前記第１壁と前記第２壁との間に空洞を規定するように、前記第１壁が前記第２壁に対して平行且つ遠位に離間している、ステップと、
前記第１壁と前記第２壁との間の前記空洞にある量のコンクリートを充填するステップと、
前記第１壁と前記第２壁との間の前記空洞の中でコンクリートを硬化させることによって、前記第１壁と前記第２壁との間に前記構造を成形するステップと、を含む、構造を成形する方法。
【請求項２０】
第１端部と、第２端部と、上端と、下端とを有する第１壁と、
第１端部と、第２端部と、上端と、下端とを有する第２壁と、
上端を有し、前記第１壁の前記第１端部と前記第２壁の前記第１端部との間に接続された第１側壁と、
上端を有し、前記第１壁の前記第２端部と前記第２壁の前記第２端部との間に接続された第２側壁と、
前記第１壁と、前記第２壁と、前記第１側壁と、前記第２側壁との間に規定された空洞であって、前記空洞が、ある量のコンクリートを受けて、硬化中、前記コンクリートを保持するように適合されている、空洞と、
前記第１壁の前記上端と、前記第２壁の前記上端と、前記第１側壁の前記上端と、前記第２側壁の前記上端との中に成形された開口であって、前記開口が前記空洞と流体接続されており、前記開口が前記コンクリートを受けるように適合されている、開口と、
地面の横断に適した第１車両であって、前記第１車両が、前記第１車両から延在する第１アームと、前記第１アームの遠位部に接続された第１アームカプラと、第１モータに接続された複数の第１ホイール又は複数の第１キャタピラと、を含む、第１車両と、
前記第１壁に接続された第１カプラであって、前記第１カプラが前記第１アームカプラに接続され、前記第１アームが、前記第２壁に対して所望の位置に前記第１壁を保持する、第１カプラと、
前記第１車両に移動可能に接続された支持体であって、前記支持体が前記第１壁に取り外し可能に接続される、支持体と、を備えるコンクリート成形システム。
【請求項２１】
前記支持体が、前記支持体が前記第１壁に接続されていない第１位置と、前記支持体が前記第１壁に接続されている第２位置との間で調整可能である、請求項２０に記載のコンクリート成形システム。
【請求項２２】
第１端部と、第２端部と、上端と、下端とを有する第１壁と、
第１端部と、第２端部と、上端と、下端とを有する第２壁と、
上端を有し、前記第１壁の前記第１端部と前記第２壁の前記第１端部との間に接続された第１側壁と、
上端を有し、前記第１壁の前記第２端部と前記第２壁の前記第２端部との間に接続された第２側壁と、
前記第１壁と、前記第２壁と、前記第１側壁と、前記第２側壁との間に規定された空洞であって、前記空洞が、ある量のコンクリートを受けて、硬化中、前記コンクリートを保持するように適合されている、空洞と、
前記第１壁の前記上端と、前記第２壁の前記上端と、前記第１側壁の前記上端と、前記第２側壁の前記上端との中に成形された開口であって、前記開口が前記空洞と流体接続されており、前記開口が前記コンクリートを受けるように適合されている、開口と、
地面の横断に適した第１車両であって、前記第１車両が、前記第１車両から延在する第１アームと、前記第１アームの遠位部に接続された第１アームカプラと、第１モータに接続された複数の第１ホイール又は複数の第１キャタピラと、を含む、第１車両と、
前記第１壁に接続された第１カプラであって、前記第１カプラが前記第１アームカプラに接続され、前記第１アームが、前記第２壁に対して所望の位置に前記第１壁を保持する、第１カプラと、
前記地面の横断に適した第２車両であって、前記第２車両が、
前記第２車両から延在する第２アームと、
前記第２アームの遠位部に接続された第２アームカプラと、
第２モータに接続された複数の第２ホイール又は複数の第２キャタピラと、を含む、第２車両と、
前記第２壁に接続された第２カプラであって、前記第２カプラが前記第２車両の前記第２アームカプラに接続され、前記第２アームが、前記第１壁に対して所望の位置に前記第２壁を保持する、第２カプラと、を備えるコンクリート成形システム。
【請求項２３】
前記第１アームと前記第１アームカプラとの間に接続された第１ピッチアクチュエータと、前記第２アームと前記第２アームカプラとの間に接続された第２ピッチアクチュエータと、をさらに備え、前記第１ピッチアクチュエータが、前記第１アームに対して前記第１アームカプラ及び前記第１壁のピッチを調整するように適合されており、前記第２ピッチアクチュエータが、前記第２アームに対して前記第２アームカプラ及び前記第２壁のピッチを調整するように適合されている、請求項２２に記載のコンクリート成形システム。
【請求項２４】
前記第１アームと前記第１アームカプラとの間に接続された第１ヨーアクチュエータと、前記第２アームと前記第２アームカプラとの間に接続された第２ヨーアクチュエータと、をさらに備え、前記第１ヨーアクチュエータが、前記第１アームに対して前記第１アームカプラ及び前記第１壁のヨーを調整するように適合されており、前記第２ヨーアクチュエータが、前記第２アームに対して前記第２アームカプラ及び前記第２壁のヨーを調整するように適合されている、請求項２３に記載のコンクリート成形システム。
【請求項２５】
前記第１車両に移動可能に接続された第１支持体と、前記第２車両に移動可能に接続された第２支持体と、をさらに備え、前記第１支持体が前記第１壁に取り外し可能に接続され、前記第２支持体が前記第２壁に取り外し可能に接続される、請求項２４に記載のコンクリート成形システム。
【請求項２６】
第１端部と、第２端部と、上端と、下端とを有する第１壁と、
第１端部と、第２端部と、上端と、下端とを有する第２壁と、
前記第１壁と前記第２壁との間に規定された空洞であって、前記空洞が、ある量のコンクリートを受けるように適合されている、空洞と、
前記第１壁の前記上端と前記第２壁の前記上端との中に成形された開口であって、前記開口が前記空洞と流体接続されており、前記開口が前記コンクリートを受けるように適合されている、開口と、
地面の横断に適した第１車両であって、前記第１車両が、
前記第１車両から延在する第１アームであって、前記第１アームが、前記第２壁に対して所望の位置に前記第１壁を保持する、第１アームと、
前記第１アームと前記第１壁との間に接続された第１アームカプラと、
第１モータに接続された複数の第１ホイール又は複数の第１キャタピラと、を含む、第１車両と、
前記第１アームと前記第１アームカプラとの間に接続された第１アクチュエータであって、前記第１アクチュエータが、前記第１アームに対して前記第１壁を調整するように適合されている、第１アクチュエータと、を備えるコンクリート成形システム。
【請求項２７】
前記第１アクチュエータが、前記第１アームに対する前記第１壁の姿勢を調整するように適合されている、請求項２６に記載のコンクリート成形システム。
【請求項２８】
前記第１アクチュエータが、前記第１アームに対する前記第１壁のピッチを調整するように適合されている、請求項２７に記載のコンクリート成形システム。
【請求項２９】
前記第１アームと前記第１アームカプラとの間に接続された第２アクチュエータであって、前記第２アクチュエータが、前記第１アームに対して前記第１壁のヨーを調整するように適合されている、第２アクチュエータを含む、請求項２８に記載のコンクリート成形システム。
【請求項３０】
前記第１アームカプラに接続された第３アクチュエータであって、前記第３アクチュエータが、前記第１アームに対して前記第１壁のロールを調整するように適合されている、第３アクチュエータを含む、請求項２９に記載のコンクリート成形システム。
【請求項３１】
前記第１車両に移動可能に接続された支持体をさらに備え、前記支持体が前記第１壁に取り外し可能に接続される、請求項２６に記載のコンクリート成形システム。
【請求項３２】
前記地面の横断に適した第２車両であって、前記第２車両が、
前記第２車両から延在する第２アームであって、前記第２アームが、前記第１壁に対して所望の位置に前記第２壁を保持する、第２アームと、
前記第２アームと前記第２壁との間に接続された第２アームカプラと、
第２モータに接続された複数の第２ホイール又は複数の第２キャタピラと、を含む、第２車両と、
前記第２アームと前記第２アームカプラとの間に接続された第２アクチュエータであって、前記第２アクチュエータが、前記第２アームに対して前記第２壁を調整するように適合されている、第２アクチュエータと、を含む、請求項２６に記載のコンクリート成形システム。
【請求項３３】
前記第１壁が、前記第１アームカプラに接続された第１カプラを含む、請求項２６に記載のコンクリート成形システム。
【請求項３４】
前記第１壁の前記第１端部と前記第２壁の前記第１端部との間に接続された第１側壁を含む、請求項２６に記載のコンクリート成形システム。
【請求項３５】
前記第１壁の前記第２端部と前記第２壁の前記第２端部との間に接続された第２側壁を含む、請求項３４に記載のコンクリート成形システム。
【請求項３６】
前記第１壁を前記第１車両によって、前の位置から、前記前の位置に対して遠位に離間している第１位置まで移動させるステップと、
前記第１壁の下端が前記第１位置に保持されるように、前記第１壁を前記第１車両によって位置付けるステップと、
前記第２壁を第２車両によって、前記前の位置から、前記前の位置及び前記第１位置に対して遠位に離間している第２位置まで移動させるステップと、
前記第１壁に対して遠位に離間している前記第２壁の下端が前記第２位置に保持されるように、前記第２壁を前記第２車両によって位置付けるステップと、
前記第１壁と前記第２壁との間の前記空洞に前記ある量のコンクリートを充填するステップと、
前記第１壁と前記第２壁との間の前記空洞の中で前記ある量のコンクリートを硬化させるステップと、を含む、請求項２６に記載のコンクリート形成システムを使用する方法。
【請求項３７】
第１端部と、第２端部と、上端と、下端とを有する第１壁と、
第１端部と、第２端部と、上端と、下端とを有する第２壁であって、前記第１壁は、前記第２壁に対して、対向して離間した関係で位置付けられる、第２壁と、
前記第１壁と前記第２壁との間に規定された第１空洞であって、前記第１空洞が、ある量のコンクリートを受けるように適合されている、第１空洞と、
地面の横断に適した第１車両であって、前記第１車両が、
前記第１車両から延在する第１アームであって、前記第１アームが、前記第２壁に対して所望の位置に前記第１壁を保持する、第１アームと、
前記第１アームと前記第１壁との間に接続された第１アームカプラと、
第１モータに接続された複数の第１ホイール又は複数の第１キャタピラと、を含む、第１車両と、
地面の横断に適した第２車両であって、前記第２車両が、
前記第２車両から延在する第２アームであって、前記第２アームが、前記第１壁に対して所望の位置に前記第２壁を保持する、第２アームと、
前記第２アームと前記第２壁との間に接続された第２アームカプラと、
第２モータに接続された複数の第２ホイール又は複数の第２キャタピラと、を含む、第２車両と、を備えるコンクリート成形システム。
【請求項３８】
前記第１壁の前記第１端部と前記第２壁の前記第１端部との間に接続された第１側壁を含む、請求項３７に記載のコンクリート成形システム。
【請求項３９】
前記第１壁の前記第２端部と前記第２壁の前記第２端部との間に接続された第２側壁を含む、請求項３８に記載のコンクリート成形システム。
【請求項４０】
第１端部と、第２端部と、上端と、下端とを有する第３壁と、
第１端部と、第２端部と、上端と、下端とを有する第４壁であって、前記第３壁は、前記第４壁に対して、対向して離間した関係で位置付けられる、第４壁と、
前記第３壁と前記第４壁との間に規定された第２空洞と、
地面の横断に適した第３車両であって、前記第３車両が、
前記第３車両から延在する第３アームであって、前記第３アームが、前記第４壁に対して所望の位置に前記第３壁を保持する、第３アームと、
前記第３アームと前記第３壁との間に接続された第３アームカプラと、
第３モータに接続された複数の第３ホイール又は複数の第３キャタピラと、を含む、第３車両と、
地面の横断に適した第４車両であって、前記第４車両が、
前記第４車両から延在する第４アームであって、前記第４アームが、前記第３壁に対して所望の位置に前記第４壁を保持する、第４アームと、
前記第４アームと前記第４壁との間に接続された第４アームカプラと、
第４モータに接続された複数の第４ホイール又は複数の第４キャタピラと、を含む、第４車両と、を備える、請求項３７に記載のコンクリート成形システム。
【請求項４１】
前記第１壁が、前記第３壁に取り外し可能に接続される、請求項４０に記載のコンクリート成形システム。
【請求項４２】
前記第２壁が、前記第４壁に取り外し可能に接続される、請求項４１に記載のコンクリート成形システム。
【請求項４３】
前記第１空洞が、前記第２空洞と流体接続されている、請求項４０に記載のコンクリート成形システム。
【請求項４４】
前記第１壁は前記第３壁に接続されておらず、前記第２壁は前記第４壁に接続されていない、請求項４０に記載のコンクリート成形システム。
【請求項４５】
前記第１壁を前記第１車両によって、前の位置から、前記前の位置に対して遠位に離間している第１位置まで移動させるステップと、
前記第１壁の下端が前記第１位置に保持されるように、前記第１壁を前記第１車両によって位置付けるステップと、
前記第２壁を前記第２車両によって、前記前の位置から、前記前の位置及び前記第１位置に対して遠位に離間している第２位置まで移動させるステップと、
前記第１壁に対して遠位に離間している前記第２壁の下端が前記第２位置に保持されるように、前記第２壁を前記第２車両によって位置付けるステップと、
前記第１壁と前記第２壁との間の前記第１空洞に前記ある量のコンクリートを充填するステップと、
前記第１壁と前記第２壁との間の前記第１空洞の中で前記ある量のコンクリートを硬化させるステップと、を含む、請求項３７に記載のコンクリート形成システムを使用する方法。
【請求項４６】
第１壁を第１車両によって、前の位置から、前記前の位置に対して遠位に離間している第１位置まで移動させるステップと、
前記第１壁の下端が前記第１位置に保持されるように、前記第１壁を前記第１車両によって位置付けるステップと、
第２壁を第２車両によって、前記前の位置から、前記前の位置及び前記第１位置に対して遠位に離間している第２位置まで移動させるステップと、
前記第１壁と前記第２壁との間に空洞を規定するように前記第１壁に対して遠位に離間している前記第２壁の下端が前記第２位置に保持されるように、前記第２壁を前記第２車両によって位置付けるステップと、
前記第１壁と前記第２壁との間の前記空洞にある量のコンクリートを充填するステップと、
前記第１壁と前記第２壁との間の前記空洞の中で前記ある量のコンクリートを硬化させるステップと、を含む、コンクリート構造を成形する方法。
【請求項４７】
前記第２壁を位置付けるステップは、前記第１壁に平行に前記第２壁を位置付けるステップを含む、請求項４６に記載の方法。
【請求項４８】
第１端部と、第２端部と、上端と、下端とを有する第１壁と、
第１端部と、第２端部と、上端と、下端とを有する第２壁と、
前記第１壁と前記第２壁との間に規定された空洞であって、前記空洞が、ある量のコンクリートを受けるように適合されている、空洞と、
前記第１壁の前記上端と前記第２壁の前記上端との中に成形された開口であって、前記開口が前記空洞と流体接続されており、前記開口が前記コンクリートを受けるように適合されている、開口と、
地面の横断に適した第１車両であって、前記第１車両が、
前記第１車両から延在する第１アームであって、前記第１アームが、前記第２壁に対して所望の位置に前記第１壁を保持する、第１アームと、
前記第１アームと前記第１壁との間に接続された第１アームカプラと、
第１モータに接続された複数の第１ホイール又は複数の第１キャタピラと、を含む、第１車両と、
前記第１アームと前記第１アームカプラとの間に接続された第１アクチュエータであって、前記第１アクチュエータが、前記第１アームに対して前記第１壁を調整するように適合されている、第１アクチュエータと、
前記第１車両と前記第１壁との間に接続された支持体と、を備えるコンクリート成形システム。
【請求項４９】
前記支持体が、前記支持体が前記第１壁に接続されていない第１位置と、前記支持体が前記第１壁に接続されている第２位置との間で調整可能である、請求項４８に記載のコンクリート成形システム。
【請求項５０】
前記支持体は前記第１壁に取り外し可能に接続されている、請求項４８に記載のコンクリート成形システム。
【請求項５１】
前記支持体は、前記第１壁の下部に接続されている、請求項４８に記載のコンクリート成形システム。
【請求項５２】
第１端部と、第２端部と、上端と、下端とを有する第１壁と、
第１端部と、第２端部と、上端と、下端とを有する第２壁と、
前記第１壁と前記第２壁との間に規定された空洞であって、前記空洞が、ある量のコンクリートを受けるように適合されている、空洞と、
地面の横断に適した第１車両であって、前記第１車両が、
前記第１車両から延在する第１アームであって、前記第１アームが、前記第２壁に対して所望の位置に前記第１壁を保持する、第１アームと、
前記第１アームと前記第１壁との間に接続された第１アームカプラと、
第１モータに接続された複数の第１ホイール又は複数の第１キャタピラと、を含む、第１車両と、
前記第１アームと前記第１アームカプラとの間に接続された第１アクチュエータであって、前記第１アクチュエータが、前記第１アームに対して前記第１壁を調整するように適合されている、第１アクチュエータと、を備えるコンクリート成形システム。
【請求項５３】
前記第１アクチュエータが、前記第１アームに対する前記第１壁の姿勢を調整するように適合されている、請求項５２に記載のコンクリート成形システム。
【請求項５４】
前記第１アクチュエータが、前記第１アームに対する前記第１壁のピッチを調整するように適合されている、請求項５３に記載のコンクリート成形システム。
【請求項５５】
前記第１アームと前記第１アームカプラとの間に接続された第２アクチュエータであって、前記第２アクチュエータが、前記第１アームに対して前記第１壁のヨーを調整するように適合されている、第２アクチュエータを含む、請求項５４に記載のコンクリート成形システム。
【請求項５６】
前記第１アームカプラに接続された第３アクチュエータであって、前記第３アクチュエータが、前記第１アームに対して前記第１壁のロールを調整するように適合されている、第３アクチュエータを含む、請求項５５に記載のコンクリート成形システム。
【請求項５７】
前記第１車両に移動可能に接続された支持体をさらに備え、前記支持体が前記第１壁に取り外し可能に接続されている、請求項５２に記載のコンクリート成形システム。
【請求項５８】
前記地面の横断に適した第２車両であって、前記第２車両が、
前記第２車両から延在する第２アームであって、前記第２アームが、前記第１壁に対して所望の位置に前記第２壁を保持する、第２アームと、
前記第２アームと前記第２壁との間に接続された第２アームカプラと、
第２モータに接続された複数の第２ホイール又は複数の第２キャタピラと、を含む、第２車両と、
前記第２アームと前記第２アームカプラとの間に接続された第２アクチュエータであって、前記第２アクチュエータが、前記第２アームに対して前記第２壁を調整するように適合されている、第２アクチュエータと、を含む、請求項５２に記載のコンクリート成形システム。
【請求項５９】
前記第１壁は、前記第１アームカプラに接続された第１カプラを含む、請求項５２に記載のコンクリート成形システム。
【請求項６０】
前記第１側壁は、前記第１壁の前記第１端部と前記第２壁の前記第１端部との間に接続される、請求項５２に記載のコンクリート成形システム。
【請求項６１】
前記第１壁の前記第２端部と前記第２壁の前記第２端部との間に接続された第２側壁を含む、請求項６０に記載のコンクリート成形システム。
【請求項６２】
前記第１壁を前記第１車両によって、前の位置から、前記前の位置に対して遠位に離間している第１位置まで移動させるステップと、
前記第１壁の下端が前記第１位置に保持されるように、前記第１壁を前記第１車両によって位置付けるステップと、
前記第２壁を第２車両によって、前記前の位置から、前記前の位置及び前記第１位置に対して遠位に離間している第２位置まで移動させるステップと、
前記第１壁に対して遠位に離間している前記第２壁の下端が前記第２位置に保持されるように、前記第２壁を前記第２車両によって位置付けるステップと、
前記第１壁と前記第２壁との間の前記空洞に前記ある量のコンクリートを充填するステップと、を含む、請求項５２に記載のコンクリート形成システムを使用する方法。
【請求項６３】
第１端部と、第２端部と、上端と、下端とを有する第１壁と、
第１端部と、第２端部と、上端と、下端とを有する第２壁であって、前記第１壁が、前記第２壁に対して、対向して離間した関係で位置付けられる、第２壁と、
前記第１壁と前記第２壁との間に規定された第１空洞であって、前記第１空洞が、ある量のコンクリートを受けるように適合されている、第１空洞と、
地面の横断に適した第１車両であって、前記第１車両が、
前記第１車両から延在する第１アームであって、前記第１アームが、前記第２壁に対して所望の位置に前記第１壁を保持する、第１アームと、
第１モータに接続された複数の第１ホイール又は複数の第１キャタピラと、を含む、第１車両と、
地面の横断に適した第２車両であって、前記第２車両が、
前記第２車両から延在する第２アームであって、前記第２アームが、前記第１壁に対して所望の位置に前記第２壁を保持する、第２アームと、
第２モータに接続された複数の第２ホイール又は複数の第２キャタピラと、を含む、第２車両と、を備えるコンクリート成形システム。
【請求項６４】
前記第１壁の前記第１端部と前記第２壁の前記第１端部との間に接続された第１側壁を含む、請求項６３に記載のコンクリート成形システム。
【請求項６５】
前記第１壁の前記第２端部と前記第２壁の前記第２端部との間に接続された第２側壁を含む、請求項６４に記載のコンクリート成形システム。
【請求項６６】
第１端部と、第２端部と、上端と、下端とを有する第３壁と、
第１端部と、第２端部と、上端と、下端とを有する第４壁であって、前記第３壁が、前記第４壁に対して、対向して離間した関係で位置付けられる、第４壁と、
前記第３壁と前記第４壁との間に規定された第２空洞と、
地面の横断に適した第３車両であって、前記第３車両が、
前記第３車両から延在する第３アームであって、前記第３アームが、前記第４壁に対して所望の位置に前記第３壁を保持する、第３アームと、
第３モータに接続された複数の第３ホイール又は複数の第３キャタピラと、を含む、第３車両と、
地面の横断に適した第４車両であって、前記第４車両が、
前記第４車両から延在する第４アームであって、前記第４アームが、前記第３壁に対して所望の位置に前記第４壁を保持する、第４アームと、
第４モータに接続された複数の第４ホイール又は複数の第４キャタピラと、を含む、第２車両と、を備える、請求項６３に記載のコンクリート成形システム。
【請求項６７】
前記第１壁が前記第３壁に取り外し可能に接続される、請求項６６に記載のコンクリート成形システム。
【請求項６８】
前記第２壁が前記第４壁に取り外し可能に接続される、請求項６７に記載のコンクリート成形システム。
【請求項６９】
前記第１空洞は、前記第２空洞に流体接続されている、請求項６６に記載のコンクリート成形システム。
【請求項７０】
前記第１壁が前記第３壁に接続されておらず、前記第２壁が前記第４壁に接続されていない、請求項６６に記載のコンクリート成形システム。
【請求項７１】
前記第１壁を前記第１車両によって、前の位置から、前記前の位置に対して遠位に離間している第１位置まで移動させるステップと、
前記第１壁の下端が前記第１位置に保持されるように、前記第１壁を前記第１車両によって位置付けるステップと、
前記第２壁を前記第２車両によって、前記前の位置から、前記前の位置及び前記第１位置に対して遠位に離間している第２位置まで移動させるステップと、
前記第１壁に対して遠位に離間している前記第２壁の下端が前記第２位置に保持されるように、前記第２壁を前記第２車両によって位置付けるステップと、
前記第１壁と前記第２壁との間の前記空洞に前記ある量のコンクリートを充填するステップと、を含む、請求項６３に記載のコンクリート形成システムを使用する方法。
【請求項７２】
第１壁を第１車両によって、前の位置から、前記前の位置に対して遠位に離間している第１位置まで移動させるステップと、
前記第１壁の下端が前記第１位置に保持されるように、前記第１壁を前記第１車両によって位置付けるステップと、
第２壁を第２車両によって、前記前の位置から、前記前の位置及び前記第１位置に対して遠位に離間している第２位置まで移動させるステップと、
前記第１壁と前記第２壁との間に空洞を規定するように前記第１壁に対して遠位に離間している前記第２壁の下端が前記第２位置に保持されるように、前記第２壁を前記第２車両によって位置付けるステップであって、前記空洞がある量のコンクリートを受けるように適合されている、ステップと、を含む、コンクリート構造を成形する方法。
【請求項７３】
前記第２壁を位置付けるステップは、前記第１壁に平行に前記第２壁を位置付けるステップを含む、請求項７２に記載の方法。
【請求項７４】
第１端部と、第２端部と、上端と、下端とを有する第１壁と、
第１端部と、第２端部と、上端と、下端とを有する第２壁と、
前記第１壁と前記第２壁との間に規定された空洞であって、前記空洞が、ある量のコンクリートを受けるように適合されている、空洞と、
前記第１壁の前記上端と前記第２壁の前記上端との中に成形された開口であって、前記開口が前記空洞と流体接続されており、前記開口が前記コンクリートを受けるように適合されている、開口と、
地面の横断に適した第１車両であって、前記第１車両が、
前記第１車両から延在する第１アームであって、前記第１アームが、前記第２壁に対して所望の位置に前記第１壁を保持する、第１アームと、
第１モータに接続された複数の第１ホイール又は複数の第１キャタピラと、を含む、第１車両と、
前記第１車両と前記第１壁との間に接続された支持体と、を備えるコンクリート成形システム。
【請求項７５】
前記支持体は、前記支持体が前記第１壁に接続されていない第１位置と、前記支持体が前記第１壁に接続されている第２位置との間で調整可能である、請求項７４に記載のコンクリート成形システム。
【請求項７６】
前記支持体は、前記第１壁に取り外し可能に接続される、請求項７４に記載のコンクリート成形システム。
【請求項７７】
前記支持体は、前記第１壁の下部に接続される、請求項７４に記載のコンクリート成形システム。